(57)【要約】【課題】  本発明の課題は、簡易な構成で効率良く且つ多量の瓶の水滴を除去することができる瓶の水滴除去装置を提供することである。【解決手段】  本発明の瓶の水滴除去装置１は、飲料用瓶の移動を案内する案内板１１と、案内板１１の案内面に対して交差する方向で案内板１１に飲料用瓶を搬送する入口側コンベア１３と、案内板１１から出る飲料用瓶を案内板１１の案内面に沿う方向に搬送する出口側コンベア１５と、案内板１１に沿って移動する飲料用瓶に向けてエアーを噴出するエアー噴出口１７とを備え、飲料用瓶が案内板１１に沿って自転しつつ側面からエアーを受けている。【選択図】図１
2006008145.tif 000002
【特許請求の範囲】
【請求項１】
飲料用瓶の移動を案内する案内板と、案内板の案内面に対して交差する方向で案内板に飲料用瓶を搬送する入口側コンベアと、案内板から出る飲料用瓶を案内板の案内面に沿う方向に搬送する出口側コンベアと、案内板に沿って移動する飲料用瓶に向けてエアーを噴出するエアー噴出口とを備え、飲料用瓶が案内板に沿って自転しつつ側面からエアーを受けることを特徴とする瓶の水滴除去装置。
【請求項２】
案内板は間隔をおいて略平行に複数配置されており、飲料用瓶を複数列にして、各列の飲料用瓶を各案内板で案内することを特徴とする請求項１に記載の瓶の水滴除去装置。
【請求項３】
案内板には、飲料用瓶の案内方向に沿って摩擦部材が設けてあることを特徴とする請求項２に記載の瓶の水滴除去装置。
【請求項４】
エアー噴出し口は、飲料用瓶の王冠及びネック部に向けてエアーを噴出す上部用ノズルと、飲料用瓶の胴部に向けてエアーを噴出す胴部用ノズルとを備え、且つ案内板の入口側に上部用ノズルを設け出口側に胴部用ノズルを設けていることを特徴とする請求項３に記載の瓶の水滴除去装置。
【請求項５】
上部用ノズル及び胴部用ノズルは飲料用瓶を挟む両側の案内板に設けてあり、案内板間を通過する飲料用瓶の両側からエアーを噴き当てることを特徴とする請求項４に記載の瓶の水滴除去装置。
【請求項６】
上部用ノズルは案内板における飲料用瓶の入口側で且つ飲料用瓶の移動方向に沿って複数設けてあることを特徴とする請求項５に記載の瓶の水滴除去装置。
【請求項７】
上部用ノズルは飲料用瓶を挟む両側の案内板において、互いに対向する位置からずれた位置にあることを特徴とする請求項５に記載の瓶の水滴除去装置。
【請求項８】
胴部用ノズルは案内板の案内面に沿って入口側から出口側に向けて下方に傾斜して設けてあることを特徴とする請求項５に記載の瓶の水滴除去装置。
【請求項９】
案内板の内部には噴出し用エアータンクを形成しており、胴部用ノズルは案内板の案内面に設けた孔であることを特徴とする請求項６に記載の瓶の水滴除去装置。
【請求項１０】
胴部用ノズルは案内面の案内方向に沿って形成した長孔スリットであることを特徴とする請求項９に記載の瓶の水滴除去装置。
【請求項１１】
案内板は案内面方向に沿って揺動自在としてあることを特徴とする請求項１〜１０のいずれか一項に記載の瓶の水滴除去装置。
【請求項１２】
ビール製造の検査工程における加温機後に設けてあることを特徴とする請求項１〜１１のいずれか一項に記載の瓶の水滴除去装置。
【発明の詳細な説明】
【技術分野】
【０００１】
本発明は、飲料用瓶の外周面に付着した水滴を除去する瓶の水滴除去装置に関する。
【背景技術】
【０００２】
特許文献１には、ビール瓶の割れやヒビ等の飲料用瓶の欠陥検査方法として、一列に搬送されてくるビール瓶に洗浄液を吹き付けた後、欠陥検査機によりビール瓶の欠陥を検査する方法が開示されている。
【０００３】
一方、ビールの製造の検査工程においては、ビールを充填後ビール瓶に王冠を装着した後、加温機にかけ、びん表面に生じる結露を防止する前処を施している。
【０００４】
しかし、かかる検査工程においては、ビール瓶に水滴が付着していると加温機にかけた後に残っている水滴が黒色異物として誤認する場合がある。したがって、ビール瓶の外周面に付着した水滴を十分に除去することが望まれている。
【０００５】
【特許文献１】特開平９−１０４８９９号公報
【発明の開示】
【発明が解決しようとする課題】
【０００６】
しかし、加温機出口ではビール瓶を多列で搬送しているため、各ビール瓶における水滴の除去が困難であった。
【０００７】
また、ビール瓶の水滴を除去するためには、多量のエアーを噴き付けたのでは、装置が複雑になるとともに効率が劣るという問題があった。
【０００８】
本発明は、簡易な構成で効率良く且つ多量の瓶の水滴を除去することができる瓶の水滴除去装置を提供することを目的とする。
【課題を解決するための手段】
【０００９】
前記課題を解決するために、請求項１に記載された発明は、飲料用瓶の移動を案内する案内板と、案内板の案内面に対して交差する方向で案内板に飲料用瓶を搬送する入口側コンベアと、案内板から出る飲料用瓶を案内板の案内面に沿う方向に搬送する出口側コンベアと、案内板に沿って移動する飲料用瓶に向けてエアーを噴出するエアー噴出口とを備え、飲料用瓶が案内板に沿って自転しつつ側面からエアーを受けることを特徴とする。
【００１０】
請求項２に記載された発明は、請求項１に記載の発明において、案内板は間隔をおいて略平行に複数配置されており、飲料用瓶を複数列にして、各列の飲料用瓶を各案内板で案内することを特徴とする。
【００１１】
請求項３に記載された発明は、請求項２に記載の発明において、案内板には、飲料用瓶の案内方向に沿って摩擦部材が設けてあることを特徴とする。
【００１２】
請求項４に記載された発明は、請求項３に記載の発明において、エアー噴出し口は、飲料用瓶の王冠及びネック部に向けてエアーを噴出する上部用ノズルと、飲料用瓶の胴部に向けてエアーを噴出す胴部用ノズルとを備え、且つ案内板の入口側に上部用ノズルを設け出口側に胴部用ノズルを設けていることを特徴とする。
【００１３】
請求項５に記載された発明は、請求項４に記載の発明において、上部用ノズル及び胴部用ノズルは飲料用瓶を挟む両側の案内板に設けてあり、案内板間を通過する飲料用瓶の両側からエアーを噴き当てることを特徴とする。
【００１４】
請求項６に記載された発明は、請求項５に記載の発明において、上部用ノズルは案内板における飲料用瓶の入口側で且つ飲料用瓶の移動方向に沿って複数設けてあることを特徴とする。
【００１５】
請求項７に記載された発明は、請求項５に記載の発明において、上部用ノズルは飲料用瓶を挟む両側の案内板において、互いに対向する位置からずれた位置にあることを特徴とする。
【００１６】
請求項８に記載された発明は、請求項５に記載の発明において、胴部用ノズルは案内板の案内面に沿って入口側から出口側に向けて下方に傾斜して設けてあることを特徴とする。
【００１７】
請求項９に記載された発明は、請求項６に記載の発明において、案内板の内部には噴出し用エアータンクを形成しており、胴部用ノズルは案内板の案内面に設けた孔であることを特徴とする。
【００１８】
請求項１０に記載された発明は、請求項９に記載の発明において、胴部用ノズルは案内面の案内方向に沿って形成した長孔スリットであることを特徴とする。
【００１９】
請求項１１に記載された発明は、請求項１〜１０のいずれか一項に記載の発明において、案内板は案内面方向に沿って揺動自在としてあることを特徴とする。
【００２０】
請求項１２に記載された発明は、請求項１〜１１のいずれか一項に記載の発明において、ビール製造の検査工程における加温機後に設けてあることを特徴とする。
【発明の効果】
【００２１】
請求項１に記載の発明によれば、案内板に飲料用瓶を斜めに導入することにより案内板を移動する飲料用瓶は自転するので、飲料用瓶に向けてエアーを噴き付けるだけで、瓶の外周面全体にエアーを噴き付けできる。したがって、効率良くしかも簡易な構成で飲料用瓶の水滴除去を図ることができる。
【００２２】
請求項２に記載された発明によれば、請求項１に記載の発明と同様の効果が得られるとともに、飲料用瓶を多列にして水滴除去をすることができ、大量の瓶の水滴除去を効率良く簡易な構成で行なうことができるとともに省スペース化を図ることができる。
【００２３】
請求項３に記載された発明によれば、請求項２に記載の発明と同様の効果が得られるとともに、案内板に沿って移動する飲料用瓶の自転を確実に行なわせることができる。
【００２４】
請求項４に記載された発明によれば、請求項３に記載された発明と同様の効果が得られるとともに、案内板における飲料用瓶の移動方向に沿って瓶の上部から下部にかけてエアーを噴き付けて重力方向に沿って水滴を落下するので、効率的な水滴除去を図ることができる。
【００２５】
請求項５に記載された発明によれば、請求項４に記載された発明と同様の効果が得られるとともに、飲料用瓶の両側からエアーを噴き付けるので飲料用瓶を高速で移動させた場合にも確実な水滴除去を図ることができる。
【００２６】
請求項６に記載された発明によれば、請求項５に記載された発明と同様の効果が得られるとともに、更に確実な水滴除去ができるとともに、一つのノズルにおけるエアーの噴出領域を小さくできるので簡易な構成のノズルを使用することができる。
【００２７】
請求項７に記載された発明によれば、請求項５に記載された発明と同様の効果が得られるとともに、自転移動する飲料用瓶の外周に効率的にエアーを噴き付けることができる。
【００２８】
請求項８に記載された発明によれば、請求項５に記載された発明と同様の効果が得られるとともに、胴部における水滴を重力方向に沿って除去できるので、更に効率的で確実な水滴除去を図ることができる。
【００２９】
請求項９に記載された発明によれば、請求項６に記載された発明と同様の効果が得られるとともに、案内板内にエアータンクを設け、案内板に設けた孔からエアーを噴き出す構成であるから、別途エアー供給用のタンクやエアーホース等を用いる必要がないので、構成を簡易にできる。
【００３０】
請求項１０に記載された発明によれば、請求項９に記載された発明と同様の効果が得られるとともに、長孔スリットを形成することにより一つの孔により瓶の搬送方向に沿って案内板からエアーを噴き出しでき簡易な構成で且つ瓶の搬送方向に亘って連続的なエアーの噴き出しができる。
【００３１】
請求項１１に記載された発明によれば、請求項１〜１０のいずれか一項に記載された発明と同様の効果が得られるとともに、案内板に沿って移動する瓶の自転を促進することができる。
【００３２】
請求項１２に記載された発明によれば、請求項１〜１１のいずれか一項に記載された発明と同様の効果が得られるとともに、加温機後にビール瓶の外面の水滴を確実に除去しているので、その後の検査において水滴を異物と誤認することを防止できる。
【発明を実施するための最良の形態】
【００３３】
以下、図面を参照しながら本発明の一実施形態について説明する。図１は本発明の実施形態に係る瓶の水滴除去装置の概略構成を示す斜視図であり、図２は図１に示す案内板を正面から見たエアー噴出口の配置図であり、図３は案内板を切断して示す断面図であり、図４はビール充填瓶の検査工程を示す概略図である。
【００３４】
本実施の形態に係る瓶の水滴除去装置１は、ビールを充填した瓶に王冠を装着した後（以下、単に「ビール充填瓶Ｓ」という）、検査工程で用いられるものである。即ち、図４に示すように、ビール充填瓶Ｓは加温機３で加温された後、グライドライナー７により一列に整列させて、ＦＢＩ（画像検査機）９で画像検査をしてビール充填瓶Ｓの口漏れや汚れ等の検査をする。
【００３５】
加温機３出口では、ビール充填瓶Ｓが多列になって搬送されている。瓶の水滴除去装置１は加温機３の出口に設けてあり、しかも多列になって搬送されてくるビール充填瓶（飲料用瓶）Ｓを多列状のまま水滴除去するものである。
【００３６】
瓶の水滴除去装置１は、図１に示すように、案内板１１と、ビール充填瓶Ｓを案内板１１に搬送する入口側コンベア１３と、飲料用瓶Ｓを案内板１１から次工程に搬送する出口側コンベア１５と、案内板１１に沿って移動するビール充填瓶Ｓに向けてエアーを噴出するエアー噴出口１７とから構成されている。
【００３７】
案内板１１は、間隔をあけて多数配置してあり、案内板１１、１１間にビール充填瓶Ｓの通路を複数形成していると共に、ビール充填瓶Ｓを受けて案内面１１ａにそって移動を案内している。各案内板１１は上方から垂下されており、且つ案内板１１の案内面方向Ｔに沿って揺動自在に設けている。案内板１１を揺動させることにより、水滴除去装置入口でのびん詰りを防止する。それによりビール充填瓶Ｓの自転を促進することができる。
【００３８】
案内面１１ａの下端側にはビール充填瓶Ｓの移動方向に沿って摩擦部材１９が取り付けてあり、摩擦によりビール充填瓶Ｓの自転を確実に行なわせている。摩擦部材１９は、本実施の形態では、硬質ゴムである。尚、案内板の裏面にはビール充填瓶Ｓの移動をスムーズに案内するため滑動部材（ＭＣナイロン）２１が取り付けてある。
【００３９】
また、案内板１１内にはエアータンク２３用の空間が形成されており、後述のスリット２５からビール充填瓶Ｓにエアーを噴き付けるようになっている。
【００４０】
入口側コンベア１３の搬送方向と案内板１１の案内面１１ａとは交差する位置にあり、入口側コンベア１３から搬送されてくるビール充填瓶Ｓは斜め方向から案内板１１に当接し、案内板１１の案内面１１ａに沿って移動するようになっている。
【００４１】
出口側コンベア１５は案内板１１の案内面１１ａ方向にビール充填瓶Ｓを搬送し且つそのまま次工程に搬送するようになっている。
【００４２】
本実施の形態では、案内板１１にビール充填瓶Ｓが斜めに入ることにより、ビール充填瓶Ｓは自転しつつ案内板１１に沿って移動する。
【００４３】
エアー噴出口１７は、入口側に設けた上部用ノズル２７ａ、２７ｂ、２７ｃと上部用ノズル２７ａ、２７ｂ、２７ｃよりも出口側に設けた胴部用ノズル２９とから構成されている。尚、図２において破線で示す上部用ノズル２７ａ、２７ｂ、２７ｃは対向する案内板１１に設けたものを示している。
【００４４】
各上部用ノズル２７ａ、２７ｂ、２７ｃはそれぞれホースに接続されており、ビール充填瓶Ｓの王冠部、口部、片部に向けてエアーを噴出している。これら３つのノズルは、入口側から次第に噴出し位置を低くして重力方向に順次位置させることにより、水滴を吹き飛ばすとともに重力を利用して水滴を落下させることができる。
【００４５】
胴部用ノズル２９は案内板１１に形成されたスリット２５であり、スリット２５はビール充填瓶Ｓの移動方向に沿って長く形成しているとともに出口側を下に向けて傾斜している。このように出口側を下に傾斜することにより、上述した上部用ノズル２７ａ、２７ｂ、２７ｃと同様に重力を利用して水滴を落下させることができる。
【００４６】
しかも、上部用ノズル２７ａ、２７ｂ、２７ｃとスリット２５とは重力方向に連続した位置にあり（図２参照）、ビール充填瓶Ｓの外面を上下方向の略全体に亘って漏れなくエアーを噴き付けるようになっている。したがって、確実な水滴除去を図ることができる。
【００４７】
スリット２５から噴出すエアーは案内板１１内に形成されたエアータンク２３から導入されるので、エアー供給用のホースが必要なく簡易な構成で、ビール充填瓶Ｓの移動方向に沿ってエアーを噴出できる。
【００４８】
上部用ノズル２７ａ、２７ｂ、２７ｃ及び胴部用ノズル２９（スリット２５）はそれぞれ案内板１１の両面に設けてあり、案内板間を移動するビール充填瓶Ｓに対して両側からエアーを噴き付けている。
【００４９】
次に、上記した構成に基づき、本実施の形態の作用を説明する。加温機３を出たビール充填瓶Ｓは多列状態で入口側コンベア１３により瓶の水滴除去装置１に搬送される。瓶の水滴除去装置１では、入口側コンベア１３により移動するビール充填瓶Ｓが各案内板１１に斜めに当接し、出口側コンベア１５により案内板１１に沿って移動する。
【００５０】
ビール充填瓶Ｓは案内板１１に斜めに当接することにより自転しつつ案内板１１の案内面１１ａに沿って移動し、案内板１１側からエアーが噴き付けられる。
【００５１】
本実施の形態では、自転しているビール充填瓶Ｓにエアーを噴き付けるので、一方向からエアーを噴き付けることによりビール充填瓶Ｓの周囲に亘ってエアーを噴き付けできる。しかも、ビール充填瓶Ｓを自転させる装置を別途設ける必要がなく、構成が簡易である。
【００５２】
しかも、多数の案内板１１間をビール充填瓶Ｓが移動するので、多列にビール充填瓶Ｓを搬送した状態で各ビール充填瓶Ｓの水滴除去ができ、多量のビール充填瓶Ｓを短時間で処理可能であるとともに省スペース化を図ることができる。
【００５３】
更に、ビール充填瓶Ｓの移動に沿って傾斜した位置に設けてある上部用ノズル２７ａ、２７ｂ、２７ｃ及び胴部用ノズル２９からエアーが噴出されるので、各ビール充填瓶Ｓは案内板１１を移動しつつ上下方向の全体に亘ってエアーが噴き付けられ、水滴が除去される。
【００５４】
水滴除去が完了したビール充填瓶Ｓは多列のまま超音波発泡槽５に搬送されてビール充を発泡させ、その後グライドライナー７を経て、一列状になってＦＢＩ（画像検査機）で漏れ等の検査が行なわれる。ビール充填瓶Ｓは超音波発泡槽５の手前で水滴が除去されているので、水滴による検査の誤認を防止できる。
【００５５】
本実施の形態における効果確認試験を行なったところ、従来一日約２０本程度あった水滴による誤認が、本実施の形態を実施した後、皆無になった。
【００５６】
本発明は、上述した実施の形態に限らず、本発明の要旨を逸脱しない範囲で種々変形可能である。
【００５７】
例えば、上部用ノズル２７ａ、２７ｂ、２７ｃは３つ設けることに限らず、必要に応じてエアーの噴き付け面積を変えることにより２つ又は１つとしてもよい。
【図面の簡単な説明】
【００５８】
【図１】本発明の実施形態に係る瓶の水滴除去装置の概略構成を示す斜視図である。
【図２】図１に示す案内板を正面から見たエアー噴出口の配置図である。
【図３】案内板を切断して示す断面図である。
【図４】ビール充填瓶の検査工程を示す概略図である。
【符号の説明】
【００５９】
１        瓶の水滴除去装置
１１      案内板
１３      入口側コンベア
１５      出口側コンベア
１７      エアー噴き出し口
１９      摩擦部材
２３      エアータンク
２５      スリット
２７ａ、２７ｂ、２７ｃ  上部用ノズル
２９      胴部用ノズル
【図１】
2006008145.tif 000003
【図２】
2006008145.tif 000004
【図３】
2006008145.tif 000005
【図４】
2006008145.tif 000006